(57)【要約】発明は特にヒータとして役立つ導電性材料に関する。電気的に導電性材料によって、あるいはその導電性材料で形成された加熱手段は知られており、特に、英国、コミュニティーおよび米国登録商標INDITHERMの下で売られたものがその柔軟性のために有効である。導電性のレールが釣り合った柔軟性を持つ必要がある電源への電気的接続を提供するために使用され、発明の目的は導電性のレールの全長に電力の維持を保証することである。この目的は、電力の供給および帰路のための離間された第1のレールを含み、前記レールは半導電性材料と両立性を有する柔軟性を持ち、その長さに沿って各第1のレールに取り付けられた補助レールがあり、補助レールは柔軟性があり、かつ第1のレールのものより大きな強度特性を持っているように構成することにより達成される。【選択図】      図１
2007516570.tif 000002
【特許請求の範囲】
【請求項１】
電力の供給および帰路のための離間された第1のレールが半導電性材料と両立性のある柔軟性を有し、その長さに沿って各第1のレールに取り付けられた補助レールがあり、補助レールは柔軟でありかつ第1のレールのものより大きな強度特性を有することを特徴とするシート形の柔軟な半導電性材料。
【請求項２】
補助レールが導電性ワイヤーから形成された編組であり、ワイヤーの直径が相当な特有の柔軟性を与えるサイズであるが、比較的低い強度であり、他のワイヤーと織り交ぜられた時、半導電性材料のシートおよび第1のレールの柔軟性と釣り合っている柔軟性を持っている編組を形成することを特徴とする、請求項1記載のシート形の柔軟な半導電性材料。
【請求項３】
第1のレールが錫めっきされた導電性箔により形成されたことを特徴とする、請求項1記載のシート形の柔軟な半導電性材料。
【請求項４】
半導電性材料の表面は、第1のレールが電気的に導電性接着剤によって取り付けられた反接合合成物の被覆を備えることを特徴とする、請求項３記載のシート形の柔軟な半導電性材料。
【請求項５】
反接合合成物がニッケルに基づいた合成物である請求項4記載のシート形の柔軟な半導電性材料。
【請求項６】
第1のレールが電気的な導電性材料によって半導電性材料の表面に直接取り付けられ、補助レールが第1のレールに取り付けられ、第1のレールおよび補助レールは反接合合成物によって覆われることを特徴とする、請求項1乃至３の何れか１項記載のシート形の柔軟な半導電性材料。
【請求項７】
反接合合成物がニッケルに基づいた合成物であることを特徴とする、請求項6記載のシート形の柔軟な半導電性材料。
【請求項８】
第1のレールが導電性インクによって形成されることを特徴とする、請求項1および２記載のシート形の柔軟な半導電性材料。
【請求項９】
導電性インクのレールがスクリーン印刷によって柔軟な半導電性面の表面に適用されることを特徴とする、請求項8記載のシート形の柔軟な半導電性材料。
【請求項１０】
補助レールは電気的に導電性インクおよび/またはスティッチ溶着によって第1のレールに取り付けられることを特徴とする、請求項1乃至9の何れか１項記載のシート形の柔軟な半導電性材料。
【発明の詳細な説明】
【技術分野】
【０００１】
この発明は導電性材料に係り、特に加熱手段の目的に役立つ導電性材料に関する。
【背景技術】
【０００２】
電気的な導電性材料が熱を生成することができることは長く知られている。この現象は、等しく相当数の異なる目的のために相当数の加熱手段を産出した。
種々様々の目的に役立つシートまたはウェブ形に、電気的なヒータを作成する試みが従来あった。しかしながら、導電性材料の最も使用可能な形は担体または基板に埋め込まれたかまたは覆われたカーボン粒子またはカーボンブラックの形をしている。そのような材料に関する既知の困難は、シートまたはウェブを横切って、加熱効果中に等質の不足に通じる、埋め込まれたか覆われたカーボン粒子あるいはカーボンブラックの安定性(consistency)の不足、および熱および冷スポットの存在である。これを除去しようとする試みにおいて、心を引き付けることは炭素密度を増加させることであるが、カーボン粒子またはカーボンブラックの密度または集中度を大きくすると、材料が脆くなるポイントに到達するまでに、シートまたはウェブは柔軟でなくなる。これは、シートまたはウェブがサポートに固く保持されることができる環境において許容され得るが、柔軟性のより大きいまたはより小さい程度が加熱手段に必要なあらゆる環境で許容されない。
【０００３】
既知の1つの材料は、熱および冷スポットの完全にないシートの十分な幅と長さを横切って均一な加熱が達成されるが、実質的に柔軟性を保持するような密度の炭素粒子あるいはカーボンブラックの表層を備えたウェブのシートでこの問題を解決した。その材料はINDITHERM（英国、コミュニティーおよび米国登録商標）の下で売られている。
【０００４】
Inditherm（登録商標）のような材料で、反対の端でウェブまたはシートの長さに沿って炭素層の導電性レールを提供することにより、電力源に接続を供給することは便利であり、これらのレールはシートの柔軟性を害さないようなものである。したがって、それは適切な導電性インクのスクリーン印刷によるようなレールを提供すると知られており、適切な電源または適切な変圧器を通して本線電力に伸びているリード線にレールを適切に接続している。
【０００５】
構成のその形のすべてにおいて、Inditherm（登録商標）として既知の材料は、熱または冷スポットの完全にないその十分な幅および長さを横切って、熱が平等に分配される例外的な加熱手段を提供する。
ある状況で、Inditherm（登録商標）のシートは、熱される必要のあるアイテム、あるいは熱が提供されるべきであるアイテムを置かれた支持物にあるいはその回りに堅く取り付けられる必要がある。それは、適所にinditherm（登録商標）のシートの明確な接続を保証するためによいかもしれず、それはクランプされる必要があり、クランプは遠隔にもかかわらず危険をともなってシートの端で必要があるかもしれず、レールはシートの端で導電性のレールの全長に沿って電力の供給を中断させる程度まで損傷されるであろう。
【０００６】
レールが損傷され、本線への接続が失われると、少なくともシートの一部に加熱結果がおよぶであろう。臨界的でないInditherm（登録商標）のシートのいくつかの使用法において、損傷したシートは比較的暇なときに交換される。しかしながら、Inditherm（登録商標）のシートの一部または全部の加熱結果が維持されることが必要不可欠であるInditherm（登録商標）の他の使用法がある。
【発明の開示】
【発明が解決しようとする課題】
【０００７】
本発明の目的は、柔軟なシートの形で加熱手段の全長にわたって電力の供給の維持を保証することである。
【課題を解決するための手段】
【０００８】
本発明によれば、シート形の柔軟な半導電性材料が電力の供給および帰路のための離間された第1のレールを含み、前記レールは半導電性材料と両立性のある柔軟性を有し、その長さに沿った各第1のレールに取り付けられた補助レールがあり、補助レールは柔軟でありかつ第1のレールのものより大きな強度特性を持っている。
【０００９】
したがって、補助レールは導電性ワイヤーから形成された編組かもしれず、ワイヤーの直径は相当な特有の柔軟性の与えるサイズをあるが、比較的低い強度であり、他のワイヤーと織り交ぜられた時、Inditherm（登録商標）のシートおよび第1のレールの柔軟性と釣り合っているが、特に第1のレールが導電性インクのスクリーン印刷によって形成される場合、第1のレールのものより大きな強度特性を有する柔軟性を持っている編組を形成する。
【００１０】
補助レールを形成する編組は、導電性の接着剤、しかし好ましくはその第1のレールの長さに沿った編組を縫うことによるような任意の適切な手段によって、それぞれの第1のレールに取り付けられることができる。
【発明の効果】
【００１１】
使用中に、および十分に長く、第1のレールが損傷を受けないままであり、それらはInditherm（登録商標）に関連した利点のすべてと共に、半導電性材料のシートを横切って電力の供給のための主要なルートを構成する。しかしながら、偶然に、第1のレールまたは複数のレールが損傷のポイントを越えてシートへの電力の供給を中断させる程度まで損傷された場合、補助レールが損傷箇所を越えて電力の供給を行い、第1のレール、従って損傷を受けたセクターを越えて半導電性シートに電力の供給を維持する。
【００１２】
発明のいくつかの実施例は添付図面に関して以下記述される。
【発明を実施するための最良の形態】
【００１３】
1つのレールが図面に関して議論されている一方、2つ以上のレールが半導電性材料のシートの中に並列の離間された関係にあることが理解されるであろう。また、図面の中で示された被覆の厚さが明瞭さのために誇張されることが理解されるであろう。
図面では、柔軟な半導電性材料は、主に炭素から作られた半導電性材料の表面3で提供される織物裏材2を備えた柔軟なシート1の形をしている。そのような材料は登録商標Indithermの下で売られ、国際特許公開WO 00/34959で議論される。半導電性面3は、電気的な供給源に延びているリード線6に電気接続5を提供する4で示された(1つのみ示した) 離間されたレールが提供されている。接続5は、導電性のレールにリード線6の端部取付け部8を確保する真鍮を被覆したニッケルのような導電性材料のプレス-スタッド7の形をしている。
【００１４】
図1および2では、例えば、錫めっきされた導電性材料の箔のような導電性材料のストリップ10を取り付けられた、ニッケルに基づいた合成物の被覆9を表面3に最初に適用することにより形成されたレール4が提供され、ストリップ10は電気的導電性の接着剤の方法により被覆9に取り付けられる。
【００１５】
露出されたストリップ10の表面へ、導電性のワイヤーから作成された編組の形で補助レール11が固定され、ワイヤーの直径は、編組がシート1の柔軟性と釣り合った相当な特有の柔軟性を与えられるような大きさである。補助レール11を形成する編組は、導電性の接着剤、あるいはスティッチ溶着、または両方によって導電性のストリップ10の表面へ取り付けられるかもしれない。また、編組の端は、リード線6の端取付け部品8を有する電気的な接触でプレス-スタッド7によって捕捉される。
【００１６】
ニッケルに基づいた合成物の被覆9の目的は、導電性のストリップと半導電性材料の表面3との間で望ましくない電気的なアークがないことを確保するためである。これはまた、図3および4で示された代替配置によっても達成することができる。ここで、電気的導電性のストリップ10は、電気的に導電性の接着剤によって半導電性材料の表面3へ直接固定され、それに編組ワイヤーから形成された補助レール11が取り付けられる。その後、これはニッケルに基づいた合成物の被覆9によって覆われる。
【００１７】
図5および6で示された発明のさらなる実施例では、レール4は半導電性材料の表面3に沿ってストライプ12として導電性インクのスクリーン印刷によって形成され、導電性のストリップはまた、導電性のインク・ストライプ12の表面に対して電気的なリード線6の端部取付け部を固定しているプレス-スタッド７によって電力源に接続される。編組ワイヤーから形成された補助レール11は、接着剤、スティッチ溶着または両方により、導電性のストライプ12に固定され、編組の端はリード線6の端取付け部と接触してプレス-スタッドにより捕捉される。
【００１８】
導電性のレールを取り付ける手段であるので、柔軟な半導電性のシートはそれ自身比較的頑健であるが、過度の頑健な取り扱いで、シート材料を適所に保持するクランプの採用はある状況でレールを損傷し、全体としてシートの加熱特性の障害となる場合がある。高い強度のさらに柔軟な補助レール、例えば編組ワイヤーを提供することによって、電気の供給がレールの全長に亘って延びる本質的な保証が提供される。
【００１９】
これに加えて、補助レールが隣接したシートに１つのシートを電気的に接続する手段として理想的に役立つとき、半導電性材料の２つ以上のシートが同じ加熱装置に使用される必要があるという状況がある。
【図面の簡単な説明】
【００２０】
【図１】発明の第1の実施例の概要の透視図である。
【図２】図1の線2-2の断面図である。
【図３】発明の別の実施例を示す図1に対応する図である。
【図４】図3の線4-4の断面図である。
【図５】発明の第３の実施例を示す図1に対応する図である。
【図６】図5の線6-6の断面図である。
【符号の説明】
【００２１】
１・・・柔軟なシート  ２・・・織物裏材  ３・・・半導電性材料の表面  ４・・・レール  ５・・・電気接続  ６・・・リード線  ７・・・プレス-スタッド  ８・・・端部取付け部  ９・・・被覆  １０・・・ストリップ  １１・・・補助レール
【図１】
2007516570.tif 000003
【図２】
2007516570.tif 000004
【図３】
2007516570.tif 000005
【図４】
2007516570.tif 000006
【図５】
2007516570.tif 000007
【図６】
2007516570.tif 000008
【国際調査報告】
2007516570.tif 000009
2007516570.tif 000010